(57)【要約】【課題】本発明は、光ディスク記録再生装置とビデオカセット記録再生装置とを並列配置した複合電子機器を、よりコンパクト化できるように回路基板及び電源回路基板を配置した複合電子機器の一体化構造を提供することを目的とするものである。【解決手段】ＤＶＤ記録再生ユニット１１及びビデオカセット記録再生ユニット１２を底面フレーム５上に並列配置し、ユニット１１のＤＶＤ挿入部２０がユニット１２のビデオカセット挿入部２１と略同じ高さになるようにユニット１１を支持部材１３で支持する。ユニット１１及び底面フレーム５との間に生じた空きスペースにＤＶＤ制御回路基板１５及び電源回路基板１７を配置するようにした。【選択図】        図４
2004280976.tif 000002
【特許請求の範囲】
【請求項１】
前面に光ディスクの挿入部が設けられた光ディスク記録再生ユニットと、該光ディスク記録再生ユニットの制御回路が設けられた第一回路基板と、前面にビデオカセットの挿入部が設けられているとともに光ディスク記録再生ユニットと並列配置されたビデオカセット記録再生ユニットと、該ビデオカセット記録再生ユニットの制御回路が設けられた第二回路基板と、電源回路基板とを筐体内に備えた複合電子機器において、
光ディスク記録再生ユニットは、光ディスク記録再生ユニットの前記挿入部がビデオカセット記録再生ユニットの前記挿入部と略同じ高さになるように複数の支持部材により支持されており、
前記第一回路基板は、光ディスク記録再生ユニットと筐体内部の底面との間に配置されており、
前記第二回路基板は、ビデオカセット記録再生ユニットと筐体内部の底面との間に配置されており、
前記電源回路基板は、前記第一回路基板と前記第二回路基板との間に配置されるように前記第二回路基板と一体化されるとともに光ディスク記録再生ユニットと筐体内部の底面との間に配置されていることを特徴とする複合電子機器の一体化構造。
【請求項２】
前記第一回路基板は、両面に配線パターンが形成されており、前記第二回路基板は、片面のみに配線パターンが形成されていることを特徴とする請求項１に記載の複合電子機器の一体化構造。
【請求項３】
前記第一回路基板及び前記第二回路基板の後端部には、筐体の背面から露出する外部接続端子が取り付けられていることを特徴とする請求項１又は２に記載の複合電子機器の一体化構造。
【請求項４】
前記電源回路基板に実装されたトランスは、コアが基板面に対して水平になるように設置されていることを特徴とする請求項１から３のいずれかに記載の複合電子機器の一体化構造。
【請求項５】
前記支持部材の少なくとも１つは、前記第一回路基板と前記電源回路基板との間に配置されていることを特徴とする請求項１から４のいずれかに記載の複合電子機器の一体化構造。
【発明の詳細な説明】
【０００１】
【発明の属する技術分野】
本発明は、ＤＶＤ（Ｄｉｇｉｔａｌ  Ｖｅｒｓａｔｉｌｅ  Ｄｉｓｋ）等の光ディスク記録再生ユニット及びビデオカセット記録再生ユニットを備えた複合電子機器の一体化構造に関する。
【０００２】
【従来の技術】
近年、ＤＶＤ等の大容量の記録再生装置が実用化されるとともに、従来使用されているビデオカセット記録再生装置と複合した機器が開発されてきている。すなわち、それぞれの記録再生装置を別々に備えていると、電源等をそれぞれの装置に重複して備えることになるため、複合化して重複した部品を共通化して機器をコンパクト化できるメリットがある。しかしながら、両者を水平配置して一体化すると単体の場合よりも幅が大きくなり、垂直配置すると高さが高くなることは避けられず、機器内のレイアウトを工夫してできるだけ全体の大きさを小さくすることが求められている。
【０００３】
こうした複合電子機器の内部レイアウトとしては、例えば特許文献１には、筐体の底面を構成するシャーシの上面に第一の再生系ユニット及び第二の再生系ユニットを水平に並列配置し、上面パネル１０の裏面にＣＰＵ等からなる主制御回路等を構成した基板を備え付けた点が記載されている。また、特許文献２では、光学式ディスク装置において、回路基板を機械部フレームの上下に配置した点が記載されている。
【０００４】
【特許文献１】
特開２００２−５０１７１号公報
【特許文献２】
特開平９−７３７６６号公報
【０００５】
【発明が解決しようとする課題】
光ディスク記録再生装置とビデオカセット記録再生装置とを一体化する場合、光ディスクとビデオカセットの大きさが異なるため、光ディスク記録再生装置に比べビデオカセット記録再生装置は、幅、高さ及び奥行きといった外径寸法は大きくならざるを得ない。したがって、一体化を考える場合ビデオカセット記録再生装置の外形寸法が１つの制約条件となる。
【０００６】
また、それぞれの記録再生装置の回路基板は、装置の高性能化とともに電子部品の実装面積が大きくなってきている。特許文献１に示すように、上面パネルの裏面を回路基板を備え付ける場合、実装面積分をそのまま回路基板の大きさとすると、回路基板で機器の幅や奥行きが規定されてしまい、機器をコンパクト化することはできない。回路基板を両面実装してコンパクト化することも考えられるが、回路基板の製造コストがアップしてしまう。特許文献２にように、筐体内の上下に配置することも考えられるが、その分機器の高さが高くならざるを得ない。
【０００７】
さらに、電源回路基板は、両記録再生装置を一体化して共通化できるものの、一般に筐体の背面に電源コードを取り付ける関係から筐体内の背面側にレイアウトされるため、その分筐体内の奥行きのスペースとる必要がある。
【０００８】
そこで、本発明は、光ディスク記録再生装置とビデオカセット記録再生装置とを並列配置した複合電子機器を、よりコンパクト化できるように回路基板及び電源回路基板を配置した複合電子機器の一体化構造を提供することを目的とするものである。
【０００９】
【課題を解決するための手段】
本発明に係る複合電子機器の一体化構造は、前面に光ディスクの挿入部が設けられた光ディスク記録再生ユニットと、該光ディスク記録再生ユニットの制御回路が設けられた第一回路基板と、前面にビデオカセットの挿入部が設けられているとともに光ディスク記録再生ユニットと並列配置されたビデオカセット記録再生ユニットと、該ビデオカセット記録再生ユニットの制御回路が設けられた第二回路基板と、電源回路基板とを筐体内に備えた複合電子機器において、光ディスク記録再生ユニットは、光ディスク記録再生ユニットの前記挿入部がビデオカセット記録再生ユニットの前記挿入部と略同じ高さになるように複数の支持部材により支持されており、前記第一回路基板は、光ディスク記録再生ユニットと筐体内部の底面との間に配置されており、前記第二回路基板は、ビデオカセット記録再生ユニットと筐体内部の底面との間に配置されており、前記電源回路基板は、前記第一回路基板と前記第二回路基板との間に配置されるように前記第二回路基板と一体化されるとともに光ディスク記録再生ユニットと筐体内部の底面との間に配置されていることを特徴とする。さらに、前記第一回路基板は、両面に配線パターンが形成されており、前記第二回路基板は、片面のみに配線パターンが形成されていることを特徴とする。さらに、前記第一回路基板及び前記第二回路基板の後端部には、筐体の背面から露出する外部接続端子が取り付けられていることを特徴とする。さらに、前記電源回路基板に実装されたトランスは、コアが基板面に対して水平になるように設置されていることを特徴とする。さらに、前記支持部材の少なくとも１つは、前記第一回路基板と前記電源回路基板との間に配置されていることを特徴とする。
【００１０】
上記のような構成を有することで、光ディスク記録再生ユニットと筐体内部の底面との間に電源回路基板を配置できるので、その分機器全体の奥行き寸法を小さくでき、コンパクト化することが可能となる。すなわち、光ディスク記録再生ユニットの外形寸法がビデオカセット記録再生ユニットの外形寸法よりも高さが小さいことを利用して、光ディスク記録再生ユニットを複数の支持部材で支持することで、光ディスク記録再生ユニットの前記挿入部がビデオカセット記録再生ユニットの前記挿入部と略同じ高さになるようにすれば、光ディスク記録再生ユニットと筐体内部の底面との間に空きスペースを確保することができる。そして、この空きスペースにトランス等の電子部品を実装した電源回路基板を配置することができるようになり、筐体の背面側に配置されていた電源回路基板の奥行き分のスペースが不要となり、その分奥行き寸法をコンパクト化できる。そして、機器全体の高さは、従来と同様にビデオカセット記録再生ユニットの高さで決められるため、大きくなることはない。
【００１１】
また、電源回路基板を第一回路基板と第二回路基板との間に配置することで、第二回路基板と一体化が可能となり、その分基板間の配線コードが不要となり、製造コストが抑えられるとともに配線コードによるノイズの発生がなくなる。また、第一回路基板とは、一体化することも分離しておくことも自由に変更でき、設計上自由度が大きくなる。
【００１２】
なお、光ディスク記録再生ユニット及びビデオカセット記録再生ユニットのそれぞれの挿入部を略同じ高さにするという位置関係は、操作者が光ディスク及びビデオカセットをセットする際に略同じ高さの位置でセット動作が可能な位置関係をいう。
【００１３】
そして、第一回路基板については両面に配線パターンを形成することで両面実装を可能にして回路基板をよりコンパクト化し、光ディスク記録再生ユニットと筐体内部の底面との間に空きスペースを確保できるため、より効率的にレイアウト配置することができる。また、第二回路基板については片面のみに配線パターンを形成することで電子部品の実装スペースをできるだけ薄くして機器全体の高さが大きくならないように抑えることができる。すなわち、第一回路基板の配置された光ディスク記録再生ユニットと筐体内部の底面との間の空きスペースは、高さ方向に余裕があるため、両面実装することで、幅方向の寸法を小さくして電源回路基板の設置スペースを十分確保することができ、また、第二回路基板の配置されたビデオカセット記録再生ユニットと筐体内部の底面との間は、できるだけ高さをとらないようにすることで機器全体の高さを抑えられる。
【００１４】
また、第一回路基板及び第二回路基板の後端部に、筐体の背面から露出する外部接続端子を取り付けることで、配線コードを用いることなく外部接続端子が取り付けられるため、ノイズが入ることを抑えることができる。
【００１５】
また、電源回路基板に実装されたトランスをコアが基板面に対して水平になるように設置することで、電源回路基板の高さ方向の寸法が抑えられるため、光ディスク記録再生ユニットと筐体内部の底面との間に空きスペースに容易にレイアウトすることが可能となる。
【００１６】
また、支持部材の少なくとも１つは、第一回路基板と電源回路基板との間に配置されることで、回路基板内に支持部材を貫通して設置する孔部を形成する必要がなくなり、回路基板の設計が単純化され、さらにその製造コストも抑えることができる。
【００１７】
【発明の実施の形態】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１８】
図１は、本発明に係る実施形態を備えた複合電子機器１全体の外観斜視図であり、図２は、上面フレーム２を取り外した状態の斜視図である。複合電子機器１の筐体は、上面フレーム２、前面パネル３、背面フレーム４及び底面フレーム５から構成されており、上面フレーム２、前面パネル３及び背面フレーム４が底面フレーム５にネジ止めされて固定される。
【００１９】
上面フレーム２は、筐体の上面及び側面を構成するようにコ字状に形成されている。前面パネル３には、ＤＶＤの挿入口６及びビデオカセットの挿入口７が形成され、表示部８が取り付けられている。また、ＤＶＤ及びＶＣＲを操作するための操作ボタン９及び１０がそれぞれ挿入口６及び７の下方に配置されて取り付けられている。背面フレーム４には、電源コード及び外部接続端子を取り付けるための孔部が形成されている。底面フレーム５には、ＤＶＤ記録再生ユニット１１、ビデオカセット記録再生ユニット及び回路基板等が配置されてネジ止め等により固定される。
【００２０】
図３は、底面フレーム５の上面への部品の取り付け状態を分解して示した概略斜視図である。底面フレーム５の上面には、ＤＶＤ記録再生ユニット１１及びビデオカセット記録再生ユニット１２が左右方向に並列して配置されている。
【００２１】
ＤＶＤ記録再生ユニット１１は、３つの支持部材１３により底面フレーム５の上面から所定の高さの位置に支持されており、その位置は、ＤＶＤ挿入部２０がビデオカセット記録再生ユニット１２のビデオカセット挿入部２１と略同じ高さになるようにされている。支持部材１３は、その下端を底面フレーム５にネジ止めにより固定されており、上端はＤＶＤ記録再生ユニット１１の下面の周囲に係止して支持するようになっている。
【００２２】
ビデオカセット記録再生ユニット１２は、４つの支持部材１４により底面フレーム５の上面から所定の高さの位置に支持されており、支持部材１４は、その下端を底面フレーム５にネジ止めにより固定されており、上端はビデオカセット記録再生ユニット１２の下面の周囲に係止して支持するようになっている。
【００２３】
ＤＶＤ記録再生ユニット１１と底面フレーム５との間には、ＤＶＤ用制御回路基板１５が配置されており、ビデオカセット記録再生ユニット１２と底面フレーム５との間には、ＶＣＲ用制御回路基板１６が配置されている。また、ＤＶＤ用制御回路基板１５とＶＣＲ用制御回路基板１６との間には電源回路基板１７が配置されており、ＶＣＲ用制御回路基板１６及び電源回路基板１７は一体化されている。そして、電源回路基板１７は、ＤＶＤ記録再生ユニット１１と底面フレーム５との間に配置される。
【００２４】
ＤＶＤ用制御回路基板１５の前端部は、前面に固定された２つの支持部材１３よりも背面側に来るように配置されており、背面側に固定された残りの支持部材１３の取付部分には、切欠き部１８が形成されている。このように、支持部材１３をＤＶＤ用制御回路基板１５と電源回路基板１７との間に配置しておけば、ＤＶＤ用制御回路基板１５に支持部材１３を貫通するための孔部を穿設することがなく、ＤＶＤ用制御回路基板１５の設計及び製造工程が単純化することができる。また、ＶＣＲ用制御回路基板１６には、支持部材１４が貫通する取付孔部１９が穿設されており、前面に固定された支持部材１３の取付部分には切欠き部が形成されている。
【００２５】
図４は、底面フレーム５の上面への部品の取り付け状態を前方向から見た正面図を示しており、図５は、上面からみた平面図を示している。図４に示すように、ビデオカセットテープ及びＤＶＤ用光ディスクの大きさが異なることから、ＤＶＤ記録再生ユニット１１は、ビデオカセット記録再生ユニット１２よりも高さが小さくなり、ＤＶＤ挿入部２０の位置をビデオカセット挿入部２１とほぼ同じ高さの位置にすると、ＤＶＤ記録再生ユニット１１と底面フレーム５との間には、空きスペースが生じる。そして、この空きスペースにＤＶＤ用制御回路基板１５及び電源回路基板１７が配置される。
【００２６】
空きスペースには、ある程度高さに余裕があるので、ＤＶＤ用制御回路基板１５は両面に配線パターンを形成し電子部品を両面実装にして、基板の大きさをコンパクト化し、さらに前後方向に細長い形状とすることで、電源回路基板１７の配置スペースを十分取ることができる。そして、ＤＶＤ用制御回路基板１５の後端部には、ＤＶＤ用外部接続端子２２を直接取り付けておけば、配線コード等を介さずに取り付けられるので、ノイズの影響を抑えることができる。
【００２７】
また、電源回路基板１７は、トランス等の部品が実装されているが、空きスペースにある程度高さに余裕が生じることから、嵩高いトランスを配置することができる。特に、トランスをコアが底面フレーム５に対してほぼ水平となる横型のものを用いることで、トランスの高さを抑えることが可能となり、より余裕を持って電源回路基板１７を配置することができる。ＤＶＤ用制御回路基板１５及び電源回路基板１７とは、配線コード２４により接続されているが、ＶＣＲ用制御回路基板１６及び電源回路基板１７が一体化されているため、これ以外に配線コードを用いる必要がないことから、配線コードによるノイズ発生が極めて少ない構造となっている。
【００２８】
ＶＣＲ用制御回路基板１６は、下面に配線パターンが形成され電子部品を片面実装しているため、その実装スペースは薄くされている。この場合、リード付電子部品については上面に実装して、下面ではんだ付けを行うことで、上下方向の実装スペースを薄くすることもできる。さらに、ビデオカセット記録再生ユニット１２の装着部分については、チップ部品等の背の低い電子部品を実装することで実装スペースが厚くならないようにしている。そして、複合電子機器１の筐体内に配置される部品の中でビデオカセット記録再生ユニット１２の高さが一番大きいことから、ＶＣＲ用制御回路基板１６の厚さをできるだけ薄くすることで複合電子機器１の高さを小さくすることができる。ＶＣＲ用制御回路基板１６の前端部には、表示装置２４及び外部接続端子２５が直接取り付けられており、また、後端部には、チューナ２６及び外部接続端子２７が直接取り付けられている。
【００２９】
なお、ＤＶＤ用制御回路基板１５には、支持足部２８が四隅に取り付けられており、底面フレーム５との間に所定間隔を空けて支持されている。同様に、ＶＣＲ用制御回路基板１６及び電源回路基板１７を一体化した基板も支持足部２９により底面フレーム５との間に所定間隔を空けて支持されている。こうして所定間隔を空けて支持することで、回路基板で発生した熱等が効率よく外部に放出され、また、回路基板への衝撃を抑えることができる。
【００３０】
以上のようなレイアウト配置するにすることにより、電源回路基板を背面側に別途配置する場合に比べ、複合電子機器の奥行き方向の長さを約２０％短くすることが可能となった。そして、複合電子機器の幅方向及び高さ方向の長さはそのままで維持することができ、従来に比べよりコンパクト化することが可能となった。
【００３１】
【発明の効果】
以上に説明したとおり、本発明では、光ディスク記録再生ユニットと筐体内部の底面との間に電源回路基板を配置できるので、その分機器全体の奥行き寸法を小さくでき、コンパクト化することが可能となる。すなわち、光ディスク記録再生ユニットの外形寸法がビデオカセット記録再生ユニットの外形寸法よりも高さが小さいことを利用して、光ディスク記録再生ユニットを複数の支持部材で支持することで、光ディスク記録再生ユニットの前記挿入部がビデオカセット記録再生ユニットの前記挿入部と略同じ高さになるようにすれば、光ディスク記録再生ユニットと筐体内部の底面との間に空きスペースを確保することができる。そして、この空きスペースにトランス等の電子部品を実装した電源回路基板を配置することができるようになり、筐体の背面側に配置されていた電源回路基板の奥行き分のスペースが不要となり、その分奥行き寸法をコンパクト化できる。そして、機器全体の高さは、従来と同様にビデオカセット記録再生ユニットの高さで決められるため、大きくなることはない。
【００３２】
また、電源回路基板を第一回路基板と第二回路基板との間に配置することで、第二回路基板と一体化が可能となり、その分基板間の配線コードが不要となり、製造コストが抑えられるとともに配線コードによるノイズの発生がなくなる。また、第一回路基板とは、一体化することも分離しておくことも自由に変更でき、設計上自由度が大きくなる。
【００３３】
そして、第一回路基板については両面に配線パターンを形成することで両面実装を可能にして回路基板をよりコンパクト化し、光ディスク記録再生ユニットと筐体内部の底面との間に空きスペースを確保できるため、より効率的にレイアウト配置することができる。また、第二回路基板については片面のみに配線パターンを形成することで電子部品の実装スペースをできるだけ薄くして機器全体の高さが大きくならないように抑えることができる。すなわち、第一回路基板の配置された光ディスク記録再生ユニットと筐体内部の底面との間の空きスペースは、高さ方向に余裕があるため、両面実装することで、幅方向の寸法を小さくして電源回路基板の設置スペースを十分確保することができ、また、第二回路基板の配置されたビデオカセット記録再生ユニットと筐体内部の底面との間は、できるだけ高さをとらないようにすることで機器全体の高さを抑えられる。
【００３４】
また、第一回路基板及び第二回路基板の後端部に、筐体の背面から露出する外部接続端子を取り付けることで、配線コードを用いることなく外部接続端子が取り付けられるため、ノイズが入ることを抑えることができる。
【００３５】
また、電源回路基板に実装されたトランスをコアが基板面に対して水平になるように設置することで、電源回路基板の高さ方向の寸法が抑えられるため、光ディスク記録再生ユニットと筐体内部の底面との間に空きスペースに容易にレイアウトすることが可能となる。
【００３６】
また、支持部材の少なくとも１つは、第一回路基板と電源回路基板との間に配置されることで、回路基板内に支持部材を貫通して設置する孔部を形成する必要がなくなり、回路基板の設計が単純化され、さらにその製造コストも抑えることができる。
【図面の簡単な説明】
【図１】本発明に係る実施形態を備えた複合電子機器全体の外観斜視図である。
【図２】図１において上面フレームを取り外した状態の斜視図である。
【図３】本発明に係る実施形態の分解斜視図である。
【図４】本発明に係る実施形態の正面図である。
【図５】本発明に係る実施形態の平面図である。
【符号の説明】
１    複合電子機器
２    上面フレーム
３    前面パネル
４    背面フレーム
５    底面フレーム
１１    ＤＶＤ記録再生ユニット
１２    ビデオカセット記録再生ユニット
１３    支持部材
１４    支持部材
１５    ＤＶＤ用制御回路基板
１６    ＶＣＲ用制御回路基板
１７    電源回路基板
１８    切欠き部
１９    孔部
２０    ＤＶＤ挿入部
２１    ビデオカセット挿入部
２２    外部接続端子
２３    トランス
２４    表示装置
２５    外部接続端子
２６    チューナ
２７    外部接続端子
【図１】
2004280976.tif 000003
【図２】
2004280976.tif 000004
【図３】
2004280976.tif 000005
【図４】
2004280976.tif 000006
【図５】
2004280976.tif 000007